(57)【要約】  【課題】  本発明は，汎用性のある光符号分割多重アクセスシステム（ＯＣＤＭＡ）を提供することを目的とする。  【解決手段】  上記課題は，マルチポート光符号器（１）を有する中央局（２）と，マルチポート光符号器（１）により符号化された光信号を復号化するための復号器（３）を有する復号部（４）とを有する，光符号分割多重アクセスシステム（５）により解決される。そして，このマルチポート光符号器（１）は，入力された光信号を，符号パターンごとに波長が所定量異なる符号化された光信号に変換するものであり，復号器（３）は，符号化された光信号に応じた中心波長を有するスーパーストラクチャードファイバブラッググレーティング（ＳＳＦＢＧ）である。  【選択図】図１
2009200733.tif 000002
【特許請求の範囲】
【請求項１】
マルチポート光符号器（１）を有する中央局（２）と，前記マルチポート光符号器（１）により符号化された光信号を復号化するための復号器（３）を有する復号部（４）とを有する，光符号分割多重アクセスシステム（５）であって，
前記マルチポート光符号器（１）は，
入力された光信号を，符号パターンごとに波長が所定量異なる符号化された光信号に変換するものであり，
前記復号器（３）は，
前記符号化された光信号に応じた中心波長を有するスーパーストラクチャードファイバブラッググレーティング（ＳＳＦＢＧ）である，
光符号分割多重アクセスシステム。
【請求項２】
前記マルチポート光符号器（１）は，アレイ導波路回折格子（１０）を含み，
前記アレイ導波路回折格子（１０）は，
複数の入力ポート（１１）と，
前記複数の入力ポート（１１）と接続された入力スラブカプラ（１２）と，
前記入力スラブカプラ（１２）からの光が入力する出力スラブカプラ（１３）と，
前記入力スラブカプラ（１２）と，前記出力スラブカプラ（１３）とを接続する，複数の光導波路（１４）であって，それぞれの光導波路は所定量ずつ長さが異なるものと，
前記出力スラブカプラ（１３）と接続された，複数の出力ポート（１５）と，
を含む，
請求項１に記載の光符号分割多重アクセスシステム。
【請求項３】
前記マルチポート光符号器（１）は，アレイ導波路回折格子（１０）を含み，
前記アレイ導波路回折格子（１０）は，
複数の入力ポート（１１）と，
前記複数の入力ポート（１１）と接続された入力スラブカプラ（１２）と，
前記入力スラブカプラ（１２）からの光が入力する出力スラブカプラ（１３）と，
前記入力スラブカプラ（１２）と，前記出力スラブカプラ（１３）とを接続する，複数の光導波路（１４）であって，それぞれの光導波路は所定量ずつ長さが異なるものと，
前記出力スラブカプラ（１３）と接続された，複数の出力ポート（１５）と，
を含み，
前記複数の光導波路（１４）は，
コアを含み，
前記コアは，前記コアの周囲に位置するクラッドより屈折率が高く，
前記光導波路（１４）のコアを導波する光に対する実効屈折率をｎｓとし，
前記複数の出力ポート（１５）間の間隔であって，前記複数の出力ポート（１５）が前記出力スラブカプラ（１３）と接続される部分の間隔をｄ０［μｍ］とし，
前記複数の光導波路（１４）間の間隔であって，前記複数の光導波路（１４）が前記複数の入力スラブカプラ（１２）と接続される部分の間隔をｄ［μｍ］とし，
入力される光信号の中心波長をλ［ｎｍ］とし，
前記複数の出力ポート（１５）の数をＮ［個］とした際に，
前記複数の入力ポート（１１）間の間隔であって，前記複数の入力ポート（１１）が前記入力スラブカプラ（１２）と接続される部分の間隔をｄｉ［μｍ］とした場合，前記ｄｉと前記ｄ０とは同じであり，
前記複数の光導波路（１４）間の間隔であって，前記複数の光導波路（１４）が前記複数の出力スラブカプラ（１３）と接続される部分の間隔は，前記ｄ［μｍ］であり，
前記インプットスラブカプラの焦点長さ及び前記アウトプットスラブカプラの焦点長さをともにＲとし，
前記λ，前記Ｒ，前記Ｎ，前記ｎｓ，前記ｄ及び前記ｄ０は，λＲ＝Ｎｎｓｄｄ０の関係を満たす，
請求項１に記載の光符号分割多重アクセスシステム。
【請求項４】
前記ＳＳＦＢＧは，
複数のチップを含むものであり，
前記符号化された光信号に応じた時間拡散，及び位相シフトを行うことができるように，
前記複数のチップを構成する各チップにおける周期的屈折率変化のチップ間位相を変化させたものである，
請求項１又は請求項２に記載の光符号分割多重アクセスシステム。
【請求項５】
前記ＳＳＦＢＧは，
複数のチップを含むものであり，
前記複数のチップは，符号化された光信号に応じた中心波長付近の光を選択的に反射するような位相を有し，
これにより，前記符号化された光信号に応じた中心波長付近の光を選択的に反射する，
請求項１又は請求項２に記載の光符号分割多重アクセスシステム。
【請求項６】
符号器を有する符号部と，前記符号部により符号化された光信号を復号化するためのマルチポート光復号器を有する中央局と，を有する，光符号分割多重アクセスシステムであって，
前記符号器は，
前記マルチポート光復号器に応じた中心波長を有するスーパーストラクチャードファイバブラッググレーティング（ＳＳＦＢＧ）であり，
前記マルチポート光復号器は，
入力された光信号を，符号パターンごとに波長が所定量異なる光信号に変換する機能を有し，
前記符号器により，符号化された光信号を復号化するものである，
光符号分割多重アクセスシステム。
【請求項７】
前記マルチポート光復号器は，アレイ導波路回折格子を含み，
前記アレイ導波路回折格子は，
複数の入力ポートと，
前記複数の入力ポートと接続された入力スラブカプラと，
前記入力スラブカプラからの光が入力する出力スラブカプラと，
前記入力スラブカプラと，前記出力スラブカプラとを接続する，複数の光導波路であって，それぞれの光導波路は所定量ずつ長さが異なるものと，
前記出力スラブカプラと接続された，複数の出力ポートと，
を含む，
請求項６に記載の光符号分割多重アクセスシステム。
【請求項８】
前記マルチポート光復号器は，アレイ導波路回折格子を含み，
前記アレイ導波路回折格子は，
複数の入力ポートと，
前記複数の入力ポートと接続された入力スラブカプラと，
前記入力スラブカプラからの光が入力する出力スラブカプラと，
前記入力スラブカプラと，前記出力スラブカプラとを接続する，複数の光導波路であって，それぞれの光導波路は所定量ずつ長さが異なるものと，
前記出力スラブカプラと接続された，複数の出力ポートと，
を含み，
前記複数の光導波路は，
コアを含み，
前記コアは，前記コアの周囲に位置するクラッドより屈折率が高く，
前記光導波路のコアを導波する光に対する実効屈折率をｎｓとし，
前記複数の出力ポート間の間隔であって，前記複数の出力ポートが前記出力スラブカプラと接続される部分の間隔をｄ０［μｍ］とし，
前記複数の光導波路間の間隔であって，前記複数の光導波路が前記複数の入力スラブカプラと接続される部分の間隔をｄ［μｍ］とし，
入力される光信号の中心波長をλ［ｎｍ］とし，
前記複数の出力ポートの数をＮ［個］とした際に，
前記複数の入力ポート間の間隔であって，前記複数の入力ポートが前記入力スラブカプラと接続される部分の間隔をｄｉ［μｍ］とした場合，前記ｄｉと前記ｄ０とは同じであり，
前記複数の光導波路間の間隔であって，前記複数の光導波路が前記複数の出力スラブカプラと接続される部分の間隔は，前記ｄ［μｍ］であり，
前記インプットスラブカプラの焦点長さ及び前記アウトプットスラブカプラの焦点長さをともにＲとし，
前記λ，前記Ｒ，前記Ｎ，前記ｎｓ，前記ｄ及び前記ｄ０は，λＲ＝Ｎｎｓｄｄ０の関係を満たす，
請求項６に記載の光符号分割多重アクセスシステム。
【請求項９】
前記ＳＳＦＢＧは，
複数のチップを含むものであり，
前記符号化された光信号に応じた時間拡散，及び位相シフトを行うことができるように，
前記複数のチップを構成する各チップにおける周期的屈折率変化のチップ間位相を変化させたものである，
請求項６又は請求項７に記載の光符号分割多重アクセスシステム。
【請求項１０】
前記ＳＳＦＢＧは，
複数のチップを含むものであり，
前記複数のチップは，符号化された光信号に応じた中心波長付近の光を選択的に反射するような位相を有し，
これにより，前記符号化された光信号に応じた中心波長付近の光を選択的に反射する，
請求項６又は請求項７に記載の光符号分割多重アクセスシステム。
【発明の詳細な説明】
【技術分野】
【０００１】
本発明は，光符号分割多重アクセスシステムなどに関する。
【背景技術】
【０００２】
光符号分割多重アクセス（ＯＣＤＭＡ）は，光層セキュリティーはもちろん，必要な場合には，完全非同期通信，低待ち時間アクセス，ソフトキャパシティという特有の特徴を有している。このためＯＣＤＭＡは，次世代ブロードバンドアクセスネットワークの候補の１つとして期待されている。そして，ＯＣＤＭＡと波長分割多重（ＷＤＭ）とを組み合わせることにより，アクセスネットワークにおいて高キャパシティを実現することができ，ギガビット対称ファイバートゥーザホーム（ＦＴＴＨ）を可能にすることが期待されている。
【０００３】
すでに多くの種類のＯＣＤＭＡの符号器／復号器が提案されている。干渉時間拡散（ＴＳ）ＯＣＤＭＡを実現するために，ＯＣＤＭＡ用のマルチポートアレイ導波路グレーティング（ＡＷＧ）符号器／復号器が提案されている。このマルチポートＡＷＧ符号器／復号器は，単一のデバイスで多重時間拡散光符号（ＯＣｓ）を同時に処理するという特有の能力を有している（下記非特許文献１及び非特許文献２）。このため，ＯＣＤＭＡネットワークの中央局が，このマルチポートＡＷＧ符号器を用いると，符号器／復号器の数を減らすことができる。このためマルチポートＡＷＧ符号器／復号器の単価が高額であっても，全体として，低コストを実現できる。
【０００４】
通常，光情報通信の分野において，復号器は，符号器と対称的な構成を有する装置である。よって，符号器としてマルチポートＡＷＧ符号器を用いた場合，通常であれば，復号器として，符号器と同様の構成を有するマルチポートＡＷＧ復号器を用いる。しかし，マルチポートＡＷＧ符号器／復号器は，高価である。よって，個別のユーザー端末も，マルチポートＡＷＧ復号器を用いて復号化するものとすると，ＡＷＧ符号器を用いたシステムが一般に浸透しない。すなわち，マルチポートＡＷＧ符号器／復号器は優れた性能を有するものの，現時点では汎用性に乏しいといえる。
【非特許文献１】G. Cincotti, N. Wada, andK.-i. Kitayama ”Characterizationof a full encoder/decoder in the AWG configuration for code-based photonicrouters. Part I: modelling and design,” IEEE J.Lightwave Technol., vol. 24, n. 1, 2006.
【非特許文献２】N. Wada, G. Cincotti, S.Yoshima, N. Kataoka, and K.-i. Kitayama ”Characterization of a full encoder/decoder in the AWG configurationfor code-based photonic routers. Part II: experimental results” IEEE J. Lightwave Technol., vol. 24, n. 1, 2006
【発明の開示】
【発明が解決しようとする課題】
【０００５】
本発明は，汎用性のある光符号分割多重アクセスシステム（ＯＣＤＭＡ）を提供することを目的とする。
【課題を解決するための手段】
【０００６】
本発明は，基本的には，中央局はマルチポートＡＷＧ符号器を用いて光符号を発生し，各クライアントはＳＳＦＢＧを含む復号器を用いて光符号を復号化することで，汎用性のあるＯＣＤＭＡシステムを提供できるという知見に基づくものである。
【０００７】
本発明の第１の側面は，光符号を発生する中央局（２）と，符号化された光信号を復号化する復号部（４）とを有する，光符号分割多重アクセスシステム（５）に関する。中央局（２）は，マルチポート光符号器（１）を有しており，これにより光符号を発生する。復号部（４）は，復号器（３）を有する。そして，復号器（３）は，符号化された光信号を復号化できるように設計されている。
【０００８】
そして，第１の側面におけるマルチポート光符号器（１）は，入力された光信号を，符号パターンごとに波長が所定量異なる符号化された光信号に変換するものである。具体的には，上記した非特許文献１及び非特許文献２に開示された光符号器を用いることができる。
【０００９】
また，第１の側面における復号器（３）は，符号化された光信号に応じた中心波長を有するスーパーストラクチャードファイバブラッググレーティング（ＳＳＦＢＧ）である。「符号化された光信号に応じた中心波長を有する」とは，特定の波長の光を選択的に反射又は透過することを意味し，この特定の波長が符号化された光信号に応じた中心波長領域の波長であることを意味する。
【００１０】
第１の側面においては，符号パターンごとに波長が所定量異なる光信号により符号化が達成される。このような場合，符号器と同様の構成を有する復号器を用いるのが通常である。一方，スーパーストラクチャードファイバグレーティング（ＳＳＦＢＧ）符号器／復号器は，ＴＳ−ＯＣＤＭＡ符号器／復号器として知られている。ＳＳＦＢＧは，大量生産できるため低コストである。さらに，ＳＳＦＢＧは，分極に依存せず超長ＴＳ−ＯＣ処理を行うことができ，低損失であり，かつ符号長さに依存しない挿入損失という特質を有する。このため，復号器として符号器と対称の構成を有するものではなく，復号器として，ＳＳＦＢＧを用いることで，汎用性のあるＯＣＤＭＡシステムを実現できる。
【００１１】
本発明の第１の側面の好ましい態様は，マルチポート光符号器（１）が，アレイ導波路回折格子（ＡＷＧ）（１０）を含むものである。そして，ＡＷＧ（１０）は，複数の入力ポート（１１）と，入力スラブカプラ（１２）と，出力スラブカプラ（１３）と，複数の光導波路（１４）と複数の出力ポート（１５）とを有するものである。そして，入力スラブカプラ（１２）は，複数の入力ポート（１１）と接続されたスラブ導波路である。また，出力スラブカプラ（１３）は，入力スラブカプラ（１２）からの光が入力するスラブ導波路である。そして，入力スラブカプラ（１２）と出力スラブカプラ（１３）とは，複数の光導波路（１４）によって光学的に接続されている。また，それぞれの光導波路（１４）は，所定量ずつ長さが異なっており，経路長の差に応じた時間遅延を通過する光信号に与えることができる。複数の出力ポート（１５）は，出力スラブカプラ（１３）に接続されており，符号化された信号が出力される。そして，この出力ポート（１５）は，ネットワークと接続されている。
【００１２】
上記のようなマルチポート光符号器をマルチポートＡＷＧ符号器ともよぶ。マルチポートＡＷＧ符号器は，上記の非特許文献１及び非特許文献２において提案されているように，柔軟性に優れた符号器である。
【００１３】
本発明の第１の側面の好ましい態様は，マルチポート光符号器（１）が，アレイ導波路回折格子（ＡＷＧ）（１０）を含むものである。そして，ＡＷＧは，複数の入力ポート（１１）と，入力スラブカプラ（１２）と，出力スラブカプラ（１３）と，複数の光導波路（１４）と複数の出力ポート（１５）とを有するものである。そして，入力スラブカプラ（１２）は，複数の入力ポート（１１）と接続されたスラブ導波路である。また，出力スラブカプラ（１３）は，入力スラブカプラ（１２）からの光が入力するスラブ導波路である。そして，入力スラブカプラ（１２）と出力スラブカプラ（１３）とは，複数の光導波路（１４）によって光学的に接続されている。また，それぞれの光導波路（１４）は，所定量ずつ長さが異なっており，経路長の差に応じた時間遅延を通過する光信号に与えることができる。複数の出力ポート（１５）は，出力スラブカプラ（１３）に接続されており，符号化された信号が出力される。そして，この出力ポート（１５）は，ネットワークと接続されている。
【００１４】
この態様において更に好ましい態様は，以下の関係を満たすものである。すなわち，複数の光導波路（１４）が周囲に位置するクラッドより屈折率が高いコアを含む。そして，光導波路（１４）のコアを導波する光に対する実効屈折率（ｅｆｆｅｃｔｉｖｅ  ｒｅｆｒａｃｔｉｖｅ  ｉｎｄｅｘ）をｎｓとし，複数の出力ポート（１５）が出力スラブカプラ（１３）と接続される部分の間隔をｄ０［μｍ］とし，複数の光導波路（１４）が複数の入力スラブカプラ（１２）と接続される部分の間隔をｄ［μｍ］とし，入力される光信号の中心波長をλ［ｎｍ］とし，複数の出力ポート（１５）の数をＮ［個］とする。
【００１５】
そして，複数の入力ポート（１１）が入力スラブカプラ（１２）と接続される部分の間隔をｄｉ［μｍ］とした場合，ｄｉとｄ０とは同じである。また，複数の光導波路（１４）が前記複数の出力スラブカプラ（１３）と接続される部分の間隔もｄ［μｍ］である。Ｒを前記インプットスラブカプラの焦点長さとすると，アウトプットスラブカプラの焦点長さもＲである。さらに，λ，Ｒ，Ｎ，ｎｓ，ｄ及びｄ０は，λＲ＝Ｎｎｓｄｄ０の関係を満たす。
【００１６】
上記の条件においては，効果的に光符号を得ることができる。
【００１７】
本発明の第１の側面の好ましい態様は，ＳＳＦＢＧが，複数のチップを含む。そして，符号化された光信号に応じた時間拡散，及び位相シフトを行うことができるように，各チップにおける周期的屈折率変化のチップ間位相を変化させたものである。
【００１８】
一般に，復号器は，符号器と対称的な構成を有する装置である。よって，符号器としてマルチポートＡＷＧ符号器を用いた場合，通常であれば，同様の構成を有するマルチポートＡＷＧ復号器を用いる。しかし，マルチポートＡＷＧ符号器／復号器は，高価である。よって，個別のユーザー端末も，マルチポートＡＷＧ復号器を用いて復号化するものとすると，ＡＷＧ符号器を用いたシステムが一般に浸透しない。そこで，この好ましい態様では，廉価なＳＳＦＢＧを用いる。そして，マルチポートＡＷＧ符号器によって符号化された信号を復号化できるように，チップの屈折率を制御した。これにより，廉価なＳＳＦＢＧを用いても，マルチポートＡＷＧ符号器によって符号化された光信号を復号化できる。
【００１９】
本発明の第１の側面の好ましい態様は，ＳＳＦＢＧは，複数のチップを含むものであり，複数のチップは，符号化された光信号に応じた中心波長付近の光を選択的に反射するような位相を有し，これにより，前記符号化された光信号に応じた中心波長付近の光を選択的に反射するものである。上記の態様と同様，廉価なＳＳＦＢＧを用いても，マルチポートＡＷＧ符号器によって符号化された光信号を復号化できる。
【００２０】
本発明の第２の側面は，符号器を有する符号部と，符号部により符号化された光信号を復号化するためのマルチポート光復号器を有する中央局と，を有する，光符号分割多重アクセスシステムに関する。そして，符号器は，マルチポート光復号器に応じた中心波長を有するスーパーストラクチャードファイバブラッググレーティング（ＳＳＦＢＧ）である。また，マルチポート光復号器は，入力された光信号を，符号パターンごとに波長が所定量異なる光信号に変換する機能を有し，符号器により，符号化された光信号を復号化するものである。
【００２１】
すなわち，光符号分割多重アクセス（ＯＣＤＭＡ）システムにおいては，情報はダウンリンクされる場合のみならず，アップリンクされる場合もある。すなわち，本発明の第１の側面では，情報がダウンリンクされる場合の構成を規定している。しかしながら，ＯＣＤＭＡシステムでは，ダウンリンクの際に符号器だったものは，アップリンクの際には復号器として機能する。また，ＯＣＤＭＡシステムでは，ダウンリンクの際に復号器であったものは，アップリンクの際には符号器として機能する。すなわち，本来，ＯＣＤＭＡシステムにおける符号器は復号器の機能をも有するものである。よって，本発明の第２の側面においても，先に説明した本発明の第１の側面における構成を適宜採用できる。このようにすることで，ユーザー側に小型でかつ安価なＳＳＦＢＧによる符号器／復号器を持たせ，中央局にひとつのデバイスで複数のユーザーを処理できるマルチポート復号器，符号器を持たせることできる。
【発明の効果】
【００２２】
本発明は，基本的には，中央局はマルチポートＡＷＧ符号器を用いて光符号を発生する。そして，各クライアントはＳＳＦＢＧを含む復号器を用いて光符号を復号化する。中央局では，効果であるが性能に優れたマルチポートＡＷＧ符号器を用いることで，中央局における高価な符号器の数を減らすことができる。また，マルチポートＡＷＧ符号器のコストは，複数のクライアントがシェアすることで，軽減できる。さらに，本発明では，復号器として，マルチポートＡＷＧ符号器に比べて安いＳＳＦＧＢを用いる。このように廉価なＳＳＦＢＧを復号器が有することで，復号器のコストを抑えることができ，ユーザー数を増加させることができる。このように，本発明によれば，汎用性のあるＯＣＤＭＡシステムを提供できる。
【発明を実施するための最良の形態】
【００２３】
以下，図面を用いて本発明を説明する。図１は，本発明の光符号分割多重アクセスシステムを説明するためのブロック図である。図１に示されるように，本発明の第１の側面に係る光符号分割多重アクセス（ＯＣＤＭＡ）システムは，光符号を発生する中央局（２）と，符号化された光信号を復号化する復号部（４）とを有する。そして，中央局（２）は，マルチポート光符号器（１）を有しており，これにより光符号を発生する。復号部（４）は，復号器（３）を有する。そして，復号器（３）は，符号化された光信号を復号化できるように設計されたＳＳＦＢＧを有する。図１に示されるように，中央局（２）と，復号部（４）とは，光情報通信網（６）により，光学的に接続されている。この光情報通信網として，スターカプラ形式のものが好ましい。
【００２４】
そして，第１の側面におけるマルチポート光符号器（１）は，入力された光信号を，符号パターンごとに波長が所定量異なる符号化された光信号に変換するものである。具体的には，上記した非特許文献１及び非特許文献２に開示された光符号器を用いることができる。
【００２５】
図２は，本発明のマルチポート光符号器の例を示す図である。図２に示されるように，本発明における好ましいマルチポート光符号器（１）は，アレイ導波路回折格子（ＡＷＧ）（１０）を含むものである。そして，ＡＷＧは，複数の入力ポート（１１）と，入力スラブカプラ（１２）と，出力スラブカプラ（１３）と，複数の光導波路（１４）と複数の出力ポート（１５）とを有する。入力スラブカプラ（１２）は，複数の入力ポート（１１）と接続されたスラブ導波路である。また，出力スラブカプラ（１３）は，入力スラブカプラ（１２）からの光が入力するスラブ導波路である。そして，入力スラブカプラ（１２）と出力スラブカプラ（１３）とは，複数の光導波路（１４）によって光学的に接続されている。また，それぞれの光導波路（１４）は，所定量ずつ長さが異なっており，経路長の差に応じた時間遅延を通過する光信号に与えることができる。複数の出力ポート（１５）は，出力スラブカプラ（１３）に接続されており，符号化された信号が出力される。そして，この出力ポート（１５）は，ネットワークと接続されている。
【００２６】
入力ポート（１１）から入力スラブカプラ（１２）に入力した光は複数の導波路（１４）へと伝播する。そして，導波路（１４）は，内側から外側になるにつれ所定量ずつ長さが長くなる。この導波路は，基板部分より屈折率が高いコアにより形成されている。コアが周囲部分（クラッド）よりも屈折率を高くすることで，導波路を伝播する光が外に飛び出す事態を防止できる。それぞれの導波路（１４）を経た光は，出力スラブカプラ（１３）へと到達する。この際に，導波路（１４）による光路長に応じた遅延差が与えられることとなる。出力スラブカプラ（１３）では，導波路（１４）から伝播した光が波紋として伝わる。そして，波紋の頂点を打ち消しあいながら出力スラブカプラ（１３）の出口部分まで伝播し，出口部分で最も光が強くなる光点ができる。この光点の位置は，入力ポートの位置や，入力光の波長などにより異なる。一方，ある波長の光を入力信号として用いた場合は，入出力ポートが異なると異なるパターンを有する光信号が出力される。このパターンの違いにより，光信号を符号化できることとなる。
【００２７】
上記のようなマルチポート光符号器をマルチポートＡＷＧ符号器ともよぶ。マルチポートＡＷＧ符号器は，上記の非特許文献１及び非特許文献２において提案されているように，柔軟性に優れた符号器である。
【００２８】
好ましいマルチポートＡＷＧ符号器は，以下の関係を満たすものである。すなわち，複数の光導波路（１４）が周囲に位置するクラッドより屈折率が高いコアを含む。そして，光導波路（１４）のコアを導波する光に対する実効屈折率（ｅｆｆｅｃｔｉｖｅ  ｒｅｆｒａｃｔｉｖｅ  ｉｎｄｅｘ）をｎｓとし，複数の出力ポート（１５）が出力スラブカプラ（１３）と接続される部分の間隔をｄ０［μｍ］とし，複数の光導波路（１４）が複数の入力スラブカプラ（１２）と接続される部分の間隔をｄ［μｍ］とし，入力される光信号の中心波長をλ［ｎｍ］とし，複数の出力ポート（１５）の数をＮ［個］とする。
【００２９】
そして，複数の入力ポート（１１）が入力スラブカプラ（１２）と接続される部分の間隔をｄｉ［μｍ］とした場合，ｄｉとｄ０とは同じである。また，複数の光導波路（１４）が前記複数の出力スラブカプラ（１３）と接続される部分の間隔もｄ［μｍ］である。Ｒを前記インプットスラブカプラの焦点長さとすると，アウトプットスラブカプラの焦点長さもＲである。さらに，λ，Ｒ，Ｎ，ｎｓ，ｄ及びｄ０は，λＲ＝Ｎｎｓｄｄ０の関係を満たす。
【００３０】
上記の条件においては，非特許文献１及び非特許文献２において説明されるように，効果的に光符号を得ることができる。
【００３１】
図３は，マルチポートＡＷＧ符号器の外見例を説明するための図である。このようなマルチポートＡＷＧ符号器／復号器は，非特許文献１及び非特許文献２において説明されるとおり公知である。そして，その動作も，これらの文献において説明されるとおり公知である。
【００３２】
図４は，マルチポートＡＷＧ符号器により符号化された光信号の例を示すグラフである。図４に示されるように，マルチポートＡＷＧ符号器を用いることで，入力された光信号を，符号パターンごとに波長が所定量異なる符号化された光信号に変換することができる。
【００３３】
復号部（４）は，復号器（３）を有する。そして，復号器（３）は，符号化された光信号を復号化できるように設計されたＳＳＦＢＧを有する。復号部（４）は，中央局とネットワークを通じて接続されたクライアントである。そして，通常復号部は，多数である。
【００３４】
先に説明したマルチポートＡＷＧ符号器／復号器によって符号化された場合，マルチポート符号器／復号器を用いることで容易に復号化できる。すなわち，先に説明したようにして符号化された光信号を復号化するためには，原理的には，マルチポートＡＷＧ符号器と同じ構成を有するマルチポートＡＷＧ復号器を用いればよい。つまり，ある入出力ポートで符号化された信号は，同じ入出力ポートを経ることで自己相関波形として出力される。一方，符号化された際の入出力ポートと異なる入出力ポートを経た場合，相互相関波形として出力される。この自己相関波形と相互相関波形とでは，波形が全く異なるため，容易に復号化できることとなる。
【００３５】
しかしながら，本発明では，マルチポートＡＷＧ復号器を用いずに，符号化された光信号を復号化できるように設計されたＳＳＦＢＧを用いる。このＳＳＦＢＧは，光パルスを，光位相符号を用いて符号化／復号化することができるものである。このＳＳＦＢＧは，たとえば，光パルスを，時間軸上に順次配列したチップパルスの列として時間拡張して，そのようなチップパルスの列を生成して出力するための位相制御手段を有する光パルス時間拡張器である。
【００３６】
本発明の復号器（３）は，符号化された光信号に応じた中心波長を有するスーパーストラクチャードファイバブラッググレーティング（ＳＳＦＢＧ）である。「符号化された光信号に応じた中心波長を有する」とは，特定の波長の光を選択的に反射又は透過することを意味し，この特定の波長が符号化された光信号に応じた中心波長領域の波長であることを意味する。
【００３７】
本発明では，ＳＳＦＢＧを復号器の要素として用いる。しかしながら，このＳＳＦＢＧは，本来符号器及び復号器として機能するものである。
【００３８】
第１の側面においては，符号パターンごとに波長が所定量異なる光信号により符号化が達成される。このような場合，符号器と同様の構成を有する復号器を用いるのが通常である。一方，スーパーストラクチャードファイバグレーティング（ＳＳＦＢＧ）符号器／復号器は，ＴＳ−ＯＣＤＭＡ符号器／復号器として知られている。ＳＳＦＢＧは，大量生産できるため低コストである。さらに，ＳＳＦＢＧは，分極に依存せず超長ＴＳ−ＯＣ処理を行うことができ，低損失であり，かつ符号長さに依存しない挿入損失という特質を有する。このため，復号器として符号器と対称の構成を有するものではなく，復号器として，ＳＳＦＢＧを用いることで，汎用性のあるＯＣＤＭＡシステムを実現できる。
【００３９】
図５は，ＳＳＦＢＧを含む復号器の例を示す図である。図５に示されるように，この復号器（３）は，光ファイバ（２１，２２）と，光信号が入力するサーキュレータ（２３）と，ＳＳＦＢＧ（２４）とを有する。このＳＳＦＢＧ（２４）は，光ファイバの導波方向に沿って複数の単位ＦＢＧが配列されて構成されたＳＳＦＢＧである。以下説明する，ＳＳＦＢＧは，光ファイバ形式のものである。光ファイバは，コアと，クラッドとを含む。コアは，光ファイバの光導波路である。そして，ＳＳＦＢＧは，コアの導波方向に沿って直列に配置された複数の単位ＦＢＧを含む。
【００４０】
ＳＳＦＢＧ（２４）を構成する単位ＦＢＧ（２５ａ，２５ｂ，２５ｃ，２５ｄ・・・）は，それぞれ光符号の各チップと対応する。通常のＯＣＤＭＡに用いるＳＳＦＢＧは，隣接する単位ＦＢＧから反射されるブラッグ反射光の位相関係を用いて符号値が決定される。本発明において，符号値は，０及び１のみではなく，負の数や，０と１の間の数も取りうる。たとえば，隣接するチップが同じ符号値をとる場合は，これに対応する単位ＦＢＧから反射されるブラッグ反射光の位相が同じくなるようにすればよい。一方，隣接するチップが異なる符号値をとる場合は，これに対応する単位ＦＢＧから反射されるブラッグ反射光の位相が異なるようにすればよい。
【００４１】
本発明の第１の側面の好ましい態様は，ＳＳＦＢＧが，複数のチップを含む。そして，符号化された光信号に応じた時間拡散，及び位相シフトを行うことができるように，各チップにおける周期的屈折率変化のチップ間位相を変化させたものである。
【００４２】
本発明の第１の側面の好ましい態様は，ＳＳＦＢＧは，複数のチップを含むものであり，複数のチップは，符号化された光信号に応じた中心波長付近の光を選択的に反射するような位相を有し，これにより，前記符号化された光信号に応じた中心波長付近の光を選択的に反射するものである。上記の態様と同様，廉価なＳＳＦＢＧを用いても，マルチポートＡＷＧ符号器によって符号化された光信号を復号化できる。マルチポート光符号器によって生成された光符号は符号パターンによって波長がずれる性質を持っている。このため，ＳＳＦＢＧを生成された光符号に特化した狭帯域フィルタとして用いることにより，ある光符号のみを取り出すことができる。これにより，簡単な構成で復号器を作成できることとなる。
【００４３】
表１に，いくつかの中心波長の光信号に対して，１６段階位相シフトＳＳＦＢＧの設計例を示す。
【００４４】
【表１】
2009200733.tif 000003
【００４５】
図６は，表１の設計例に従って製造したＳＳＦＢＧの光透過特性を示すグラフである。すなわち，単位ＦＢＧの位相を調整することで，特定の中心波長を有する光を選択的に反射させることができる。たとえば，符号器として，上記の４つの中心波長を含むように符号化する場合，ＳＳＦＢＧを上記のように設計することで，符号化された信号を容易に抽出することができる。これにより，マルチポートＡＷＧ復号器を用いなくても，効果的に復号化することができることとなる。
【００４６】
図７は，本発明のＯＣＤＭＡシステムの応用例を示す図である。この例は，ＷＤＭ（波長分割多重）−ＯＣＤＭＡを実現するシステムの例である。この例では，ｎポートのＷＤＭマルチプレクサ（ＷＤＭ−ＭＵＸ）により，多重化された光信号が出力される。その出力された光信号はｍ×ｍマルチポートＯＣＤＭＡ符号器に入力する。このｍ×ｍマルチポートＯＣＤＭＡ符号器は，たとえば，先に説明したマルチポートＡＷＧ符号器である。入力信号は，このマルチポートＯＣＤＭＡ符号器にて符号化される。符号化された光信号は，符号化パターンごとに中心波長の周波数が異なる。この符号化された光信号は，ネットワークを通じて，分波器へと到達する。分波器であるＷＤＭ−ＤＥＭＵＸは，あて先に応じて光信号を分波する。そして，あて先に応じたＬＡＮなどの領域（ＬＡＮ１・・・ＬＡＮｎ）へ光信号が出力される。そして，光信号は，適宜分波され，領域内で各ユーザーの終端装置(ＯＮＵ)へ伝播する。
【００４７】
ＯＮＵは，復号部として機能する。復号部は，マルチポート符号器の符号化に対応した特性を有するＳＳＦＢＧを含む復号器を有している。たとえば，光符号部が，光信号をパターンＯＣ１に応じて符号化した場合，そのパターンＯＣ１に対応したＳＳＦＢＧを有するＯＮＵ−１が，この信号を復号化できることとなる。すなわち，本発明の好ましい利用態様は，ＷＤＭかつＯＣＤＭＡを用いた通信システムである。
【００４８】
本発明の第２の側面は，符号器を有する符号部と，符号部により符号化された光信号を復号化するためのマルチポート光復号器を有する中央局と，を有する，光符号分割多重アクセスシステムに関する。そして，符号器は，マルチポート光復号器に応じた中心波長を有するスーパーストラクチャードファイバブラッググレーティング（ＳＳＦＢＧ）である。また，マルチポート光復号器は，入力された光信号を，符号パターンごとに波長が所定量異なる光信号に変換する機能を有し，符号器により，符号化された光信号を復号化するものである。
【００４９】
すなわち，光符号分割多重アクセス（ＯＣＤＭＡ）システムにおいては，情報はダウンリンクされる場合のみならず，アップリンクされる場合もある。すなわち，本発明の第１の側面では，情報がダウンリンクされる場合の構成を規定している。しかしながら，ＯＣＤＭＡシステムでは，ダウンリンクの際に符号器だったものは，アップリンクの際には復号器として機能する。また，ＯＣＤＭＡシステムでは，ダウンリンクの際に復号器であったものは，アップリンクの際には符号器として機能する。すなわち，本来，ＯＣＤＭＡシステムにおける符号器は復号器の機能をも有するものである。よって，本発明の第２の側面においても，先に説明した本発明の第１の側面における構成を適宜採用できる。このようにすることで，ユーザー側に小型でかつ安価なＳＳＦＢＧによる符号器／復号器を持たせ，中央局にひとつのデバイスで複数のユーザーを処理できるマルチポート復号器，符号器を持たせることができる。
【実施例１】
【００５０】
１６レベル位相シフトＳＳＦＢＧ符号器／復号器の性能
図８は，実施例１において，光信号を調整するために用いた実験系を示す構成図である。この例では，シンセサイザーを用いて，９．９５３２８ＧＨｚの駆動信号を得る。この駆動信号を，モード同期レーザーダイオード入力する。これにより１．８ｐｓのパルス光を得る。一方，この駆動信号（Ｃ１９２）は，クロック信号として，パルスパターンジェネレータ（ＰＰＧ）／及びビットエラーレートテスタ（ＢＥＲＴ）へと入力される。モード同期レーザーダイオードの出力光は，適宜ＥＤＦＡにより増幅されて，７．８ｎｍのバンドパスフィルタ（ＢＰＦ）を経て，さらに偏光調整器（ＰＣ）を経て，位相変調器（ＰＭ）へと入力される。この位相変調器には，バイアス電圧が印加される。さらに，この位相変調器には，ＰＰＧからの駆動信号が入力される。位相変調器からの出力信号は，適宜，増幅され，フィルタ及び偏光調整器を経て，符号器に入射する。
【００５１】
図９は，本実施例において実際に用いたマルチポートＡＷＧ符号器の外観例を説明するための図面に替わる写真である。このマルチポートＡＷＧ符号器には，図２及び図３に示したようなマルチポートＡＷＧ符号器を用いた。具体的には，プレーナ光波回路に導波路を設けた１６−チップマルチポートＡＷＧ符号器を用いた。パルス間隔は５ｐｓであり，チップレートは２００Ｇｃｈｉｐ／ｓであった。ポート１からポート８を経たそれぞれの光信号は，０，５，１０，・・・・８０ｍ秒の時間遅延を有していた。
【００５２】
観測系において，光可変アテネータ（ＶＯＡ）を用いて波長ごとに光強度を調整した。そして，マッハツェンダー干渉計にて分波するとともに，一方の導波路を伝播する光に対して９３ｐｓの時間遅延を与えた。その後，デュアルピンフォトディテクターを用いてバランスト検波を行った。その後，ローパスフィルターを経て，ＢＥＲＴにて，ＢＥＲを測定した。
【００５３】
図１０は，実施例１における実験系を示す図である。図８と同じものは説明を省略する。図１０では，符号器として，ＳＳＦＢＧを用いた。このＳＳＦＢＧは，１６チップ，１６位相レベルのものを用いた。そして，表１に示したように，透過させる中心波長に応じて，各チップの位相を調整した。図１１は，本実施例において用いたＳＳＦＢＧの外観を示す図面に替わる写真である。
【００５４】
本実施例では，４つの１６チップのＳＳＦＢＧ復号器（ＦＢＧ１−４）を用意した。これらのＦＢＧは，１６個の入力ポート及び１６個の出力ポートを有する。このＦＢＧは，＋／−λ／８ステップでチップグレーティングをシフトさせることによって，中心波長が１５５１ｎｍ，チップ長が約０．５２ｍｍ，グレーティングの全長が８．３２ｍｍとなった。これらのグレーティングには，２つの１６レベル位相シフトパターンを用いた。ＦＢＧ１及び２のパターンは，ＯＣ−１であり，ＦＢＧ３及び４のパターンはＯＣ−２とした。ＯＣ−１は，マルチポート符号器の第１番目の入力ポートから入力され，第３番目の出力ポートから出力された光信号に対応する。一方，ＯＣ−２は，マルチポート符号器の第１番目の入力ポートから入力され，第７番目の出力ポートから出力された光信号に対応する。
【００５５】
図１２は，入力パルスの波形を示すグラフである。図１３Ａ〜図１３Ｃは，パターンＯＣ−１のＦＢＧにより符号化された光符号と，ＡＷＧを用いた符号器（ＡＷＧ符号器）により符号化された光符号とを示すグラフである。図１３Ａは，ＦＢＧ１を用いて符号化した光信号を示すグラフである。図１３Ｂは，ＦＢＧ２を用いて符号化した光信号を示すグラフである。図１３Ｃは，ＡＷＧ符号器を用いて符号化した光信号を示すグラフである。図１４Ａ〜図１４Ｃは，パターンＯＣ−２のＦＢＧにより符号化された光符号と，ＡＷＧを用いた符号器（ＡＷＧ符号器）により符号化された光符号とを示すグラフである。図１４Ａは，ＦＢＧ３を用いて符号化した光信号を示すグラフである。図１４Ｂは，ＦＢＧ４を用いて符号化した光信号を示すグラフである。図１４Ｃは，ＡＷＧ符号器を用いて符号化した光信号を示すグラフである。
【００５６】
図１３Ａに示されるとおり，ＦＢＧ１を用いて得られた光符号の持続時間は約８０ｐｓであり，チップレートは２００Ｇｃｈｉｐ／ｓであった。ＳＳＦＢＧによる光符号の時間波形は，ＡＷＧによる光符号の時間波形と異なる。これは，位相シフトパターンを中心にＦＢＧを設計し，単位ＦＢＧにおける屈折率分布がほぼ一様な（ユニフォームな）グレーティングを用いたことが主な原因であると考えられる。たとえば，実効屈折率をグレーティング全体に沿って慎重に設計することにより，発生する信号の時間波形をさらに改善であろうと考えられる。
【００５７】
図１４Ａ〜図１４Ｃに示されるように，パターンＯＣ−２のＳＳＦＢＧから発生した，個々のチップ由来の光符号ピークは，ＯＣ−１のものよりも明瞭でなく，またＡＷＧのものよりも明瞭ではなかった。
【００５８】
図１５Ａ〜図１５Ｄは，符号器及び復号器として，パターンＯＣ−１のＳＳＦＢＧとＡＷＧとを組み合わせた場合の自己相関波形を示すグラフである。図１５Ａは，比較のために用いられるグラフであり，符号器及び復号器がそれぞれＡＷＧ及びＡＷＧのものを示すグラフである。図１５Ｂは，符号器及び復号器がそれぞれＦＢＧ１及びＦＢＧ２のものを示すグラフである。図１５Ｃは，符号器及び復号器がそれぞれＡＷＧ及びＦＢＧ２のものを示すグラフである。図１５Ｄは，符号器及び復号器がそれぞれＡＷＧ及びＦＢＧ１のものを示すグラフである。
【００５９】
図１６Ａ〜図１６Ｄは，符号器及び復号器として，パターンＯＣ−１のＳＳＦＢＧとＡＷＧとを組み合わせた場合の自己相関波形を示すグラフである。図１６Ａは，比較のために用いられるグラフであり，符号器及び復号器がそれぞれＡＷＧ及びＡＷＧのものを示すグラフである。図１６Ｂは，符号器及び復号器がそれぞれＦＢＧ３及びＦＢＧ４のものを示すグラフである。図１６Ｃは，符号器及び復号器がそれぞれＡＷＧ及びＦＢＧ３のものを示すグラフである。図１６Ｄは，符号器及び復号器がそれぞれＡＷＧ及びＦＢＧ４のものを示すグラフである。
【００６０】
図１５Ａ〜図１５Ｄ及び図１６Ａ〜図１６Ｄに示されるとおり，得られた自己相関波形は極めて似ており，符号器及び復号器として，ＡＷＧ及びＳＳＦＢＧを任意に組み合わせても，適切に動作することがわかる。
【００６１】
図１７（図１７Ａ及び図１７Ｂ）は，ＡＷＧ符号器及びＳＳＦＢＧ符号器の自己相関と相互相関のパワーコントラスト比（ＰＣＲ）を比較するためのグラフである。図１７Ａは，パターンＯＣ−１のＳＳＦＢＧとＡＷＧとを比較するためのグラフである。図１７Ｂは，パターンＯＣ−２のＳＳＦＢＧとＡＷＧとを比較するためのグラフである。図１７Ａ及び図１７Ｂから，符号器として，いずれもＡＷＧ符号器を用いたものである。符号器及び復号器がそれぞれＡＷＧであるものと，符号器がＡＷＧであって復号器がＳＳＦＢＧであるものは，同様の性能を有するものの，後者の性能は概して１〜５ｄＢ低いことがわかる。
【００６２】
ＦＧＢ１〜ＦＢＧ４はユニフォームドグレーティングを採用しており，かつ設計が必ずしも完全ではないことを考慮すれば，これらの結果はかなり良いものであるといえる。加えて，ＳＳＦＢＧの復号器は，温度変化耐性に優れる。この実験において，ＡＷＧ符号器の温度変化は２〜２．５℃であるが，ＰＣＲの変化は１ｄＢ以内であった。これらの性能は，マルチポートＡＷＧタイプの符号器及び多重位相レベルの位相シフトＳＳＦＢＧ復号器を用いた組合せにより達成できるものである。すなわち，ＡＷＧ符号器とＦＢＧ復号器の組合せにより，柔軟でコスト効果の良いＯＣＤＭＡネットワークを構築できるといえる。また，このネットワークの性能は，ＳＳＦＢＧをアポダイズする（グレーティングの両端に加える屈折率変調する）ことによって，さらに向上すると考えられる。
【００６３】
図１８は，符号器及び復号器ともにＳＳＦＢＧを用いた際の実験系を示す図である。
【実施例２】
【００６４】
マルチユーザーＯＣＤＭＡの実験
図１９は，ハイブリッドマルチポートのＡＷＧ符号器及びＳＳＦＢＧ復号器を用いた，１０Ｇｂｐｓ，８ユーザーのＤＰＳＫ−ＯＣＤＭＡを実証するための実験系を示すブロック図である。
【００６５】
図２０（図２０Ａ〜図２０Ｆ）は，実験系の各地点における，波長，スペクトル及びアイダイアグラムを示すグラフである。図２０Ａは，地点αに関するグラフである。図２０Ｂは，地点βに関するグラフである。図２０Ｃは，地点γに関するグラフである。図２０Ｄは，地点πに関するグラフである。図２０Ｅは，地点θに関するグラフである。図２０Ｆは，地点ξに関するグラフである。
【００６６】
この実験系において，モード同期レーザーダイオード（ＭＬＬＤ）は，中心波長１５５０．８ｎｍ，反復周波数９．９５３２８ＧＨｚ（ＯＣ１９２）の，約１．８ｐｓの光パルスを発生する。光信号を，ニオブ酸リチウム位相変調回路（ＬＮ−ＰＭ）により形成された差動位相シフトキーイング（ＤＰＳＫ）により調節した（図１９のα地点）。そのデータは，２２３−１擬似ランダムビット列（ＰＲＢＳ）であった。
【００６７】
この信号を，１６×１６ポートのＡＷＧ符号器の第８ポートに送り，８つの異なる光符号を得た（図１９のβ地点）。これら８つの信号を，８×１０Ｇｐｓ非同期ＯＣＤＭＡネットワークを想定した，等しいパワー，ランダム遅延，ランダムビット位相，及びランダム分極状態で，合波した（図１９のγ地点）。その測定を，最も悪い状態を想定して行った。すなわち，ビット同期及び同一偏波を想定した。
【００６８】
受信側では，１６チップ，１６レベル位相シフトＳＳＦＢＧ復号器が，受信した多重ＯＣＤＭＡ信号を目標信号に復号した（図１９のπ地点）。ファイバベースの干渉計とバランスト検波器とを用いて，ＤＰＳＫ信号を検出した（図１９のθ地点）。データを，クロックデータリカバリー（ＣＤＲ）回路を用いて復元した（図１９の地点ξ）。また，ビットエラーレートテスター（ＢＥＲＴ）を用いて，ＢＥＲを測定した。図２０Ｅ及び図２０Ｆに示されるとおり，図１９の地点θ及び地点ξにおいて，８ユーザーのＯＣＤＭＡに対して，明確なアイ開口が観察された。
【００６９】
図２１は，異なるＳＳＦＢＧ復号器での１（Ｋ＝１）及び８ユーザー（Ｋ＝８）に対する，ＢＥＲ性能の測定結果を示すグラフである。図中○は，位相変調後のバックトゥバック，黒塗り四角は符号器としてＧ１４２９（Ｃｏｄｅ１）を用いた場合であって１ユーザーのもの，中抜き四角は符号器としてＧ１４２９（Ｃｏｄｅ１）を用いた場合であって８ユーザーのもの，黒塗りひし形は符号器としてＧ１４３０（Ｃｏｄｅ２）を用いた場合であって１ユーザーのもの，中抜きひし形は符号器としてＧ１４３０（Ｃｏｄｅ２）を用いた場合であって８ユーザーのもの，黒塗り三角は符号器としてＧ１４３１（Ｃｏｄｅ２）を用いた場合であって１ユーザーのもの，中抜き三角は符号器としてＧ１４３１（Ｃｏｄｅ２）を用いた場合であって８ユーザーのもの，×は符号器としてＧ１４３３（Ｃｏｄｅ２）を用いた場合であって１ユーザーのもの，及び符号器としてＧ１４３３（Ｃｏｄｅ２）を用いた場合であって８ユーザーのものを示す。どちらのケースにおいても４つ全ての復号器に対して，エラーフリーが達成された。一方，Ｋ＝１と比べるとＫ＝８のＯＣＤＭＡでは，ＢＥＲ＝１０−９において，約４ｄＢのパワー損失が観察された。
【産業上の利用可能性】
【００７０】
本発明は，光情報通信の分野において好適に利用されうる。
【図面の簡単な説明】
【００７１】
【図１】図１は，本発明の光符号分割多重アクセスシステムを説明するためのブロック図である。
【図２】図２は，本発明のマルチポート光符号器の例を示す図である。
【図３】図３は，マルチポートＡＷＧ符号器の外見例を説明するための図である。
【図４】図４は，マルチポートＡＷＧ符号器により符号化された光信号スペクトルの例を示すグラフである。
【図５】図５は，ＳＳＦＢＧを含む復号器の例を示す図である。
【図６】図６は，表１の設計例に従って製造したＳＳＦＢＧの光透過特性を示すグラフである。
【図７】図７は，本発明のＯＣＤＭＡシステムの応用例を示す図である。
【図８】図８は，実施例１において，光信号を調整するために用いた実験系を示す構成図である。
【図９】図９は，本実施例において実際に用いたマルチポートＡＷＧ符号器の外観例を説明するための図面に替わる写真である。
【図１０】図１０は，実施例１における実験系を示す図である。
【図１１】図１１は，本実施例において用いたＳＳＦＢＧの外観を示す図面に替わる写真である。
【図１２】図１２は，入力パルスの波形を示すグラフである。
【図１３】図１３Ａ〜図１３Ｃは，パターンＯＣ−１のＦＢＧにより符号化された光符号と，ＡＷＧを用いた符号器（ＡＷＧ符号器）により符号化された光符号とを示すグラフである。図１３Ａは，ＦＢＧ１を用いて符号化した光信号を示すグラフである。図１３Ｂは，ＦＢＧ２を用いて符号化した光信号を示すグラフである。図１３Ｃは，ＡＷＧ符号器を用いて符号化した光信号を示すグラフである。
【図１４】図１４Ａ〜図１４Ｃは，パターンＯＣ−２のＦＢＧにより符号化された光符号と，ＡＷＧを用いた符号器（ＡＷＧ符号器）により符号化された光符号とを示すグラフである。図１４Ａは，ＦＢＧ３を用いて符号化した光信号を示すグラフである。図１４Ｂは，ＦＢＧ４を用いて符号化した光信号を示すグラフである。図１４Ｃは，ＡＷＧ符号器を用いて符号化した光信号を示すグラフである。
【図１５】図１５（図１５Ａ〜図１５Ｄ）は，符号器及び復号器として，パターンＯＣ−１のＳＳＦＢＧとＡＷＧとを組み合わせた場合の自己相関波形を示すグラフである。図１５Ａは，比較のために用いられるグラフであり，符号器及び復号器がそれぞれＡＷＧ及びＡＷＧのものを示すグラフである。図１５Ｂは，符号器及び復号器がそれぞれＦＢＧ１及びＦＢＧ２のものを示すグラフである。図１５Ｃは，符号器及び復号器がそれぞれＡＷＧ及びＦＢＧ２のものを示すグラフである。図１５Ｄは，符号器及び復号器がそれぞれＡＷＧ及びＦＢＧ１のものを示すグラフである。
【図１６】図１６（図１６Ａ〜図１６Ｄ）は，符号器及び復号器として，パターンＯＣ−１のＳＳＦＢＧとＡＷＧとを組み合わせた場合の自己相関波形を示すグラフである。図１６Ａは，比較のために用いられるグラフであり，符号器及び復号器がそれぞれＡＷＧ及びＡＷＧのものを示すグラフである。図１６Ｂは，符号器及び復号器がそれぞれＦＢＧ３及びＦＢＧ４のものを示すグラフである。図１６Ｃは，符号器及び復号器がそれぞれＡＷＧ及びＦＢＧ３のものを示すグラフである。図１６Ｄは，符号器及び復号器がそれぞれＡＷＧ及びＦＢＧ４のものを示すグラフである。
【図１７】図１７（図１７Ａ及び図１７Ｂ）は，ＡＷＧ符号器及びＳＳＦＢＧ符号器の自己相関と相互相関のパワーコントラスト比（ＰＣＲ）を比較するためのグラフである。図１７Ａは，パターンＯＣ−１のＳＳＦＢＧとＡＷＧとを比較するためのグラフである。図１７Ｂは，パターンＯＣ−２のＳＳＦＢＧとＡＷＧとを比較するためのグラフである。
【図１８】図１８は，符号器及び復号器ともにＳＳＦＢＧを用いた際の実験系を示す図である。
【図１９】図１９は，ハイブリッドマルチポートのＡＷＧ符号器及びＳＳＦＢＧ復号器を用いた，１０Ｇｂｐｓ，８ユーザーのＤＰＳＫ−ＯＣＤＭＡを実証するための実験系を示すブロック図である。
【図２０】図２０（図２０Ａ〜図２０Ｆ）は，実験系の各地点における，波長，スペクトル及びアイダイアグラムを示すグラフである。図２０Ａは，地点αに関するグラフである。図２０Ｂは，地点βに関するグラフである。図２０Ｃは，地点γに関するグラフである。図２０Ｄは，地点πに関するグラフである。図２０Ｅは，地点θに関するグラフである。図２０Ｆは，地点ξに関するグラフである。
【図２１】図２１は，異なるＳＳＦＢＧ復号器での１（Ｋ＝１）及び８ユーザー（Ｋ＝８）に対する，ＢＥＲ性能の測定結果を示すグラフである。
【符号の説明】
【００７２】
１  マルチポート光符号器；２  中央局（２）；  ３  復号器；４  復号部；  ５光符号分割多重アクセスシステム
【図１】
2009200733.tif 000004
【図２】
2009200733.tif 000005
【図３】
2009200733.tif 000006
【図４】
2009200733.tif 000007
【図５】
2009200733.tif 000008
【図６】
2009200733.tif 000009
【図７】
2009200733.tif 000010
【図８】
2009200733.tif 000011
【図９】
2009200733.tif 000012
【図１０】
2009200733.tif 000013
【図１１】
2009200733.tif 000014
【図１２】
2009200733.tif 000015
【図１３】
2009200733.tif 000016
【図１４】
2009200733.tif 000017
【図１５】
2009200733.tif 000018
【図１６】
2009200733.tif 000019
【図１７】
2009200733.tif 000020
【図１８】
2009200733.tif 000021
【図１９】
2009200733.tif 000022
【図２０】
2009200733.tif 000023
【図２１】
2009200733.tif 000024